(57)【要約】      （修正有）【課題】粘着テープを保持したテープカッター台において、テープの折り返し機能を設けて、操作性を向上した折り返し機能付きテープカッターを提供する。【解決手段】折り返し機能付きテープカッターは、粘着テープ１を引き出す方向に２箇所のテープの接着面イ、ロがあり、一つは固定され、もう一方は動くようになっている。この動く方が動かない方に当たり、止まった時に接着面の高さが同じで、ハのような形で傾斜が付いている。この傾斜は常にテープの糊面と糊面が接着するように付けてある。また、動く接着面台３の側面にテープを切る刃ハの上下運動のためのスライドガイドニを付けて、折り返しを指でつまむ時にテープを切る刃ハが接着面台に隠れ、折り返しを指でつまみ上げた後は元の位置に戻り、その時にテープを切る刃ハが接着面より高くなりテープを切ることが出来る。【選択図】図２
0003180531.tif 000002
【実用新案登録請求の範囲】
【請求項１】
折り返し機能付きテープカッターは、粘着テープを引き出す方向に、２箇所粘着テープの接着面がある。
引き出し方向の直線上に１箇所目の動かない斜面のある接着面がある。
次に、その外側の先に粘着テープを切る刃を付けた接着面があり、この接着面は１箇所目の動かない接着面の方向に動く物である。
【請求項２】
請求項１の折り返し機能付きテープカッターにおいて、動く接着面の外側の面にテープを切る刃を上下運動させるためのスライドガイドが付けてあり、動く接着面が動かない接着面の方向へ動くときに、スライドガイドに沿ってテープを切る刃がスライドしながら一緒に動く。
この時、動かない接着面にあたって止まった時に、動く接着面よりテープを切る刃の高さは低くなり、また元の位置に戻った時は動く接着面より刃の高さは高くなる。
【考案の詳細な説明】
【考案の詳細な説明】
【背景技術】  従来のテープカッターには無い機能です。
【考案の開示】
【考案が解決しようとする課題】  対象物に貼り付けた後のテープを簡単に剥がすことが出来るようにすること。
テープは色々な物に貼ることがありますが、剥がしたい時に指の爪でテープの端を捲るようにしたり、ハサミやカッターナイフで切ろうとしても手近に無かったり、また切ろうとして中身を傷付けてしまうことがあり面倒です。
そこでテープを貼る前に、テープ自体の端に折り返し部分を作ってから貼り付ければ、折り返しの部分は張り付かないので簡単に剥がせます。
【課題を解決するための手段】  テープを必要な長さに切る前の時点で折り返しを簡単に作るため、［図１］の斜面図（い）にある▲１▼のテープを引き出す方向に（イ）の動かない接着面があり、その先に（ハ）のテープを切る刃が付いた（ロ）の動く接着面がある。
（ロ）の動く接着面が（イ）の動かない接着面の方向に動き、当たって止まる。この時の（イ）と（ロ）の間の距離の１／２の長さの折り返しが出来るので課題は解決しますが、この折り返しを指でつまむ時にテープを切る刃に手が当たる可能性があります。
そこでテープを切る刃がこの時、手に当たらないようにするために、［図１］斜面図（あ）にある▲３▼の動く２つ目のテープの接着面の台に（ニ）のテープを切る刃のスライドガイドを付けて、（ハ）のテープを切る刃に▲５▼テープを切る刃の回転軸をつけることにより、▲３▼が▲２▼の方向に動いて▲２▼に当たり止まった時は、（ハ）のテープを切る刃は（ロ）の動く接着面より低くなり手に当たらなくなります。また、元の位置に戻った時は（ロ）の高さより（ハ）の高さは高くなり、テープを切ることが出来るようになります。
【使用法】
［図２］側面図にあるように（Ａ）から（Ｂ）（Ｃ）（Ｄ）の順番になる。
（Ａ）図はテープを切り終えた後、指で▲３▼を押すところ
（Ｂ）図は▲３▼を指で押して▲２▼に接触し、▲６▼の折り返しが出来るところ
（Ｃ）図は▲６▼の折り返しを指でつまみ上げるところ
（Ｄ）図は▲６▼の折り返しを必要な長さに切るところ
【構造の説明】
◎  ２箇所にテープの接着面がある［図１］斜面図（あ）の（イ）と（ロ）
◎  テープを引き出す方向に動かない傾斜のある１箇所目の接着面が、テープホルダーの回転軸と平行にある。
［図１］斜面図（あ）の（イ）
◎  その先に動く２つ目のテープの接着面台がある。
［図１］斜面図（あ）の▲３▼
◎  この動く接着面台は、回転軸が動かない接着面側に付いている。
［図１］斜面図（あ）の▲４▼
◎  この接着面台の側面にテープを切る刃のスライドガイドが付いている。
［図１］斜面図（あ）の（ニ）
◎  テープを切る刃にも回転軸が付いており、動く接着面台とテープを切る刃が背中合わせでぴったりあってスライドするように動く接着面台の反対側に回転軸がある。
［図１］斜面図（あ）の（ハ）と▲５▼
◎  動く接着面台は元の位置に戻るように重心をずらしてある。
［図１］斜面図（あ）の▲３▼と▲４▼
◎  ２箇所の接着面が接した時に高さが同じになる。
［図２］側面図（Ｂ）の（イ）と（ロ）
◎  ２箇所の接着面が接した時は八の字形になるように傾斜が付いている。この傾斜は常にテープの糊面と糊面が接着する為に付けてある。
［図２］側面図（Ｂ）の（イ）と（ロ）
◎  ２箇所のはなれた接着面にテープが接着しているので、動かない接着面の方向に動く接着面を動かして接した時にテープのたわみが出来て、これが折り返しとなる。この折り返しを指でつまむ時は、テープを切る刃の高さは接着面より低くなり手に当たらないようになっている。また、折り返しをつまみ上げて接着面からテープが離れた時は、動く接着面は重心がずれているので元の位置に戻る。そしてテープを切る刃は接着面より高くなり、テープを再び切ることが出来る。
［図２］側面図の（Ａ）（Ｂ）（Ｃ）（Ｄ）
【考案の効果】
テープの折り返しがあれば、この部分は対象物に張り付かないため、指でつまみ上げて簡単に剥がせますので、大変に便利です。
【図１】
0003180531.tif 000003
【図２】
0003180531.tif 000004
【手続補正書】
【提出日】平成24年10月4日(2012.10.4)
【手続補正１】
【補正対象書類名】実用新案登録請求の範囲
【補正対象項目名】全文
【補正方法】変更
【補正の内容】
【実用新案登録請求の範囲】
【請求項１】
粘着テープ引き出し方向に、テープカッター台に固定されると共に、斜面形状の接着面を有する第１接着面台と、第１接着面台に近接する方向へ回動可能にテープカッター台に保持され、接着面とともに粘着テープ切断刃を有する第２接着面台とを備えたことを特徴とする折り返し機能付きテープカッター。
【請求項２】
第２接着面台の外側の面に粘着テープ切断刃を上下運動させるためのスライドガイドが付けてあり、第２接着面台が第１接着面台の方向へ動くときに、スライドガイドに沿って粘着テープ切断刃がスライドしながら一緒に動き、第２接着面台が第１接着面台に当接して止まった時に、粘着テープ切断刃の高さは第２接着面台における接着面の高さよりも低くなり、第２接着面台が静止位置に戻った時は、粘着テープ切断刃の高さは第２接着面台における接着面の高さよりも高くなることを特徴とする請求項１記載の折り返し機能付きテープカッター。
【手続補正２】
【補正対象書類名】明細書
【補正対象項目名】全文
【補正方法】変更
【補正の内容】
【考案の詳細な説明】
【背景技術】
【０００１】  従来のテープカッターには無い機能です。
【考案の開示】
【考案が解決しようとする課題】
【０００２】  対象物に貼り付けた後のテープを簡単に剥がすことが出来るようにすること。
テープは色々な物に貼ることがありますが、剥がしたい時に指の爪でテープの端を捲るようにしたり、ハサミやカッターナイフで切ろうとしても手近に無かったり、また切ろうとして中身を傷付けてしまうことがあり面倒です。
そこでテープを貼る前に、テープ自体の端に折り返し部分を作ってから貼り付ければ、折り返しの部分は張り付かないので簡単に剥がせます。
【課題を解決するための手段】
【０００３】  テープを必要な長さに切る前の時点で折り返しを簡単に作るため、［図１］の斜面図（い）にある▲１▼のテープを引き出す方向に（イ）の動かない接着面があり、その先に（ハ）のテープを切る刃が付いた（ロ）の動く接着面がある。
（ロ）の動く接着面が（イ）の動かない接着面の方向に動き、当たって止まる。この時の（イ）と（ロ）の間の距離の１／２の長さの折り返しが出来るので課題は解決しますが、この折り返しを指でつまむ時にテープを切る刃に手が当たる可能性があります。
そこでテープを切る刃がこの時、手に当たらないようにするために、［図１］斜面図（あ）にある▲３▼の動く２つ目のテープの接着面の台に（ニ）のテープを切る刃のスライドガイドを付けて、（ハ）のテープを切る刃に▲５▼テープを切る刃の回転軸をつけることにより、▲３▼が▲２▼の方向に動いて▲２▼に当たり止まった時は、（ハ）のテープを切る刃は（ロ）の動く接着面より低くなり手に当たらなくなります。また、元の位置に戻った時は（ロ）の高さより（ハ）の高さは高くなり、テープを切ることが出来るようになります。
【使用法】
【０００４】［図２］側面図にあるように（Ａ）から（Ｂ）（Ｃ）（Ｄ）の順番になる。
（Ａ）図はテープを切り終えた後、指で▲３▼を押すところ
（Ｂ）図は▲３▼を指で押して▲２▼に接触し、▲６▼の折り返しが出来るところ
（Ｃ）図は▲６▼の折り返しを指でつまみ上げるところ
（Ｄ）図は▲６▼の折り返しを必要な長さに切るところ
【構造の説明】
【０００５】◎  ２箇所にテープの接着面がある［図１］斜面図（あ）の（イ）と（ロ）
◎  テープを引き出す方向に動かない傾斜のある１箇所目の接着面が、テープホルダーの回転軸と平行にある。
［図１］斜面図（あ）の（イ）
◎  その先に動く２つ目のテープの接着面台がある。
［図１］斜面図（あ）の▲３▼
◎  この動く接着面台は、回転軸が動かない接着面側に付いている。
［図１］斜面図（あ）の▲４▼
◎  この接着面台の側面にテープを切る刃のスライドガイドが付いている。
［図１］斜面図（あ）の（ニ）
◎  テープを切る刃にも回転軸が付いており、動く接着面台とテープを切る刃が背中合わせでぴったりあってスライドするように動く接着面台の反対側に回転軸がある。
［図１］斜面図（あ）の（ハ）と▲５▼
◎  動く接着面台は元の位置に戻るように重心をずらしてある。
［図１］斜面図（あ）の▲３▼と▲４▼
◎  ２箇所の接着面が接した時に高さが同じになる。
［図２］側面図（Ｂ）の（イ）と（ロ）
◎  ２箇所の接着面が接した時は八の字形になるように傾斜が付いている。この傾斜は常にテープの糊面と糊面が接着する為に付けてある。
［図２］側面図（Ｂ）の（イ）と（ロ）
◎  ２箇所のはなれた接着面にテープが接着しているので、動かない接着面の方向に動く接着面を動かして接した時にテープのたわみが出来て、これが折り返しとなる。この折り返しを指でつまむ時は、テープを切る刃の高さは接着面より低くなり手に当たらないようになっている。また、折り返しをつまみ上げて接着面からテープが離れた時は、動く接着面は重心がずれているので元の位置に戻る。そしてテープを切る刃は接着面より高くなり、テープを再び切ることが出来る。
［図２］側面図の（Ａ）（Ｂ）（Ｃ）（Ｄ）
【考案の効果】
【０００６】  テープの折り返しがあれば、この部分は対象物に張り付かないため、指でつまみ上げて簡単に剥がせますので、大変に便利です。
【図面の簡単な説明】
【０００７】
【図１】  斜面図
【図２】  側面図
【符号の説明】
【０００８】［図１］の斜面図の（あ）はテープを切る刃がスライドする構造の物の図
［図１］の斜面図の（い）はテープを切る刃が固定されている構造の物の図
［図２］の側面図の（Ａ）（Ｂ）（Ｃ）（Ｄ）は順番に折り返しを作る所からテープを切るまでの図
▲１▼テープ
▲２▼動かないテープの第１接着面台
▲３▼動くテープの第２接着面台
▲４▼第２接着面台の回転軸
▲５▼テープを切る刃の回転軸
▲６▼テープの折り返し
▲７▼テープカッター台
（イ）動かない第１接着面
（ロ）動く第２接着面
（ハ）テープを切る刃
（ニ）テープを切る刃のスライドガイド
【手続補正５】
【補正対象書類名】図面
【補正対象項目名】全図
【補正方法】変更
【補正の内容】
【図１】
0003180531.tif 000005
【図２】
0003180531.tif 000006